(57)【要約】【課題】撮像によって得られた画像データに基づく画像を表示する際に、好適な画質の表示画像を得ることができる技術を提供する。【解決手段】本発明の撮像装置は、複数のシーンモードのうちのいずれかを設定する設定手段と、設定手段で設定されたシーンモードに応じたガンマカーブを用いて、撮像によって得られた画像データである撮像画像データにガンマ変換処理を施すことにより、処理画像データを生成する処理手段と、処理画像データに基づく画像を画面に表示する表示手段と、を有し、撮像画像データの画素値は、種類が互いに異なる複数の階調値を含み、シーンモードに応じたガンマカーブは、複数の階調値にそれぞれ適用される複数のガンマカーブであり、シーンモードに応じた複数のガンマカーブは、当該シーンモードに応じた色味に画面に表示された画像の色味が変化するように定められている。【選択図】図１
2016181798.tif 000002
【特許請求の範囲】
【請求項１】
複数の撮影シーンにそれぞれ対応する複数のシーンモードのうちのいずれかを設定する設定手段と、
前記設定手段で設定されたシーンモードに応じたガンマカーブを用いて、撮像によって得られた画像データである撮像画像データにガンマ変換処理を施すことにより、処理画像データを生成する処理手段と、
前記処理画像データに基づく画像を画面に表示する表示手段と、
を有し、
前記撮像画像データの画素値は、種類が互いに異なる複数の階調値を含み、
前記シーンモードに応じたガンマカーブは、前記複数の階調値にそれぞれ適用される複数のガンマカーブであり、
前記シーンモードに応じた複数のガンマカーブは、当該シーンモードに応じた色味に前記画面に表示された画像の色味が変化するように定められている
ことを特徴とする撮像装置。
【請求項２】
前記シーンモードに応じた複数のガンマカーブは、前記画面に表示された画像が取り得る色のうち、当該シーンモードを代表する色である代表色が所定の目標色に近づき、前記代表色以外の色が維持されるように定められている
ことを特徴とする請求項１に記載の撮像装置。
【請求項３】
前記画素値は、赤色に対応するＲ値、緑色に対応するＧ値、及び、青色に対応するＢ値を含むＲＧＢ値であり、
前記複数のガンマカーブは、前記Ｒ値に適用するガンマカーブ、前記Ｇ値に適用するガンマカーブ、及び、前記Ｂ値に適用するガンマカーブである
ことを特徴とする請求項１または２に記載の撮像装置。
【請求項４】
前記撮像画像データを記憶部に記録する記録手段と、
前記記憶部が記憶している撮像画像データを再生する再生手段と、
をさらに有し、
前記処理手段は、前記再生手段による再生時に、再生対象の撮像画像データの撮像時に設定されていたシーンモードに応じたガンマカーブを用いて、前記再生対象の撮像画像データにガンマ変換処理を施すことにより、処理画像データを生成する
ことを特徴とする請求項１〜３のいずれか１項に記載の撮像装置。
【請求項５】
前記記録手段は、前記撮像画像データを前記記憶部に記録する際に、記録対象の撮像画像データの撮像時に設定されていたシーンモードを示すシーン情報を、前記記録対象の撮像画像データに関連付けて前記記憶部に記録し、
前記撮像装置は、前記再生対象の撮像画像データに関連付けられたシーン情報に基づいて、前記再生対象の撮像画像データの撮像時に設定されていたシーンモードを判断する判断手段をさらに有する
ことを特徴とする請求項４に記載の撮像装置。
【請求項６】
複数の撮影シーンにそれぞれ対応する複数のシーンモードのうちのいずれかを設定する設定ステップと、
前記設定ステップで設定されたシーンモードに応じたガンマカーブを用いて、撮像によって得られた画像データである撮像画像データにガンマ変換処理を施すことにより、処理画像データを生成する処理ステップと、
前記処理画像データに基づく画像を画面に表示する表示ステップと、
を有し、
前記撮像画像データの画素値は、種類が互いに異なる複数の階調値を含み、
前記シーンモードに応じたガンマカーブは、前記複数の階調値にそれぞれ適用される複数のガンマカーブであり、
前記シーンモードに応じた複数のガンマカーブは、当該シーンモードに応じた色味に前記画面に表示された画像の色味が変化するように定められている
ことを特徴とする撮像装置の制御方法。
【請求項７】
前記シーンモードに応じた複数のガンマカーブは、前記画面に表示された画像が取り得る色のうち、当該シーンモードを代表する色である代表色が所定の目標色に近づき、前記代表色以外の色が維持されるように定められている
ことを特徴とする請求項６に記載の撮像装置の制御方法。
【請求項８】
前記画素値は、赤色に対応するＲ値、緑色に対応するＧ値、及び、青色に対応するＢ値を含むＲＧＢ値であり、
前記複数のガンマカーブは、前記Ｒ値に適用するガンマカーブ、前記Ｇ値に適用するガンマカーブ、及び、前記Ｂ値に適用するガンマカーブである
ことを特徴とする請求項６または７に記載の撮像装置の制御方法。
【請求項９】
前記撮像画像データを記憶部に記録する記録ステップと、
前記記憶部が記憶している撮像画像データを再生する再生ステップと、
をさらに有し、
前記処理ステップでは、前記再生ステップによる再生時に、再生対象の撮像画像データの撮像時に設定されていたシーンモードに応じたガンマカーブを用いて、前記再生対象の撮像画像データにガンマ変換処理を施すことにより、処理画像データを生成する
ことを特徴とする請求項６〜８のいずれか１項に記載の撮像装置の制御方法。
【請求項１０】
前記記録ステップでは、前記撮像画像データを前記記憶部に記録する際に、記録対象の撮像画像データの撮像時に設定されていたシーンモードを示すシーン情報を、前記記録対象の撮像画像データに関連付けて前記記憶部に記録し、
前記撮像装置の制御方法は、前記再生対象の撮像画像データに関連付けられたシーン情報に基づいて、前記再生対象の撮像画像データの撮像時に設定されていたシーンモードを判断する判断ステップをさらに有する
ことを特徴とする請求項９に記載の撮像装置の制御方法。
【請求項１１】
請求項６〜１０のいずれか１項に記載の撮像装置の制御方法の各ステップをコンピュータに実行させることを特徴とするプログラム。
【発明の詳細な説明】
【技術分野】
【０００１】
本発明は、撮像装置及びその制御方法に関する。
【背景技術】
【０００２】
現在、表示素子として液晶素子（液晶セル）を用いた表示パネルである液晶パネルを有する装置が広く普及している。例えば、液晶パネルを有する撮像装置（デジタルカメラ）、液晶パネルを有する画像表示装置である液晶表示装置、等が広く普及している。
【０００３】
確認用の画像を表示する表示パネルには、コントラスト、色再現性、階調特性等の画像品質に優れた画像の表示が要求されている。特に、色再現性や階調特性は重要である。液晶パネルの画面に表示された画像（表示画像）の色再現性や階調特性は、バックライトモジュール、液晶素子、及び、カラーフィルタ、を含む複数の部材の分光特性による影響を強く受ける。
【０００４】
表示画像の色域（表現または再現可能な色の範囲）は、一般的に、三原色（赤色、緑色、及び、青色）にそれぞれ対応する３つの色度によって決まる。具体的には、表示画像の色域は、色度図内の領域のうち、上記３つの色度を頂点とする３角形の内側の領域である。ＮＴＳＣ方式の色域（目標色域）は、ＮＴＳＣ方式の規格値である３つの色度を頂点とする３角形の内側の領域である。
【０００５】
そして、表示画像の色域は、表示パネルの特性に依存する。例えば、表示画像の色域は、バックライトモジュール、液晶素子、及び、カラーフィルタの分光特性に依存する。ここで、カラーフィルタの分光特性は、主にカラーフィルタの材料の特性によって決まるため、ユーザは、カラーフィルタの分光特性を自由に選択できない。そのため、液晶パネルの画面に表示された画像の色が、ユーザが所望する色（目標色）と異なることが多い。
【０００６】
図１２は、目標色域、及び、表示画像の色域の一例を示す図である。図１２から、表示画像の色域が目標色域からずれていることがわかる。このような色域のずれが生じていると、飽和度１００％（画素値が上限値である画素の色）、白色、肌色、記憶色（空の青、草の緑、夕日の赤、等）などの全ての色について、表示色（表示画像の色）を目標色に一致させるのは困難である。１つの色について表示色を目標色に一致させると、他の色については、表示色が目標色からずれる。その結果、表示画像の画像品質（画質）が低下する。
【０００７】
表示画像の画質を向上する従来技術は、例えば、特許文献１に開示されている。特許文献１に開示の技術では、撮像装置の撮影情報に応じて明度を調整する画像処理を画像データに施すことにより、表示画像の画質が向上される。
【０００８】
しかしながら、特許文献１に開示の技術では、画像データの明度しか変更されない。そのため、特許文献１に開示の技術を用いたとしても、上述した表示色のずれを低減することはできず、十分に好適な画質の表示画像を得ることはできない。
【先行技術文献】
【特許文献】
【０００９】
【特許文献１】国際公開第２００４／００８７５５号
【発明の概要】
【発明が解決しようとする課題】
【００１０】
本発明は、撮像によって得られた画像データに基づく画像を表示する際に、好適な画質の表示画像を得ることができる技術を提供することを目的とする。
【課題を解決するための手段】
【００１１】
本発明の第１の態様は、
複数の撮影シーンにそれぞれ対応する複数のシーンモードのうちのいずれかを設定する設定手段と、
前記設定手段で設定されたシーンモードに応じたガンマカーブを用いて、撮像によって得られた画像データである撮像画像データにガンマ変換処理を施すことにより、処理画像データを生成する処理手段と、
前記処理画像データに基づく画像を画面に表示する表示手段と、
を有し、
前記撮像画像データの画素値は、種類が互いに異なる複数の階調値を含み、
前記シーンモードに応じたガンマカーブは、前記複数の階調値にそれぞれ適用される複数のガンマカーブであり、
前記シーンモードに応じた複数のガンマカーブは、当該シーンモードに応じた色味に前記画面に表示された画像の色味が変化するように定められている
ことを特徴とする撮像装置である。
【００１２】
本発明の第２の態様は、
複数の撮影シーンにそれぞれ対応する複数のシーンモードのうちのいずれかを設定する設定ステップと、
前記設定ステップで設定されたシーンモードに応じたガンマカーブを用いて、撮像によって得られた画像データである撮像画像データにガンマ変換処理を施すことにより、処理画像データを生成する処理ステップと、
前記処理画像データに基づく画像を画面に表示する表示ステップと、
を有し、
前記撮像画像データの画素値は、種類が互いに異なる複数の階調値を含み、
前記シーンモードに応じたガンマカーブは、前記複数の階調値にそれぞれ適用される複数のガンマカーブであり、
前記シーンモードに応じた複数のガンマカーブは、当該シーンモードに応じた色味に前記画面に表示された画像の色味が変化するように定められている
ことを特徴とする撮像装置の制御方法である。
【００１３】
本発明の第３の態様は、上述した撮像装置の制御方法の各ステップをコンピュータに実行させることを特徴とするプログラムである。
【発明の効果】
【００１４】
本発明によれば、撮像によって得られた画像データに基づく画像を表示する際に、好適な画質の表示画像を得ることができる。
【図面の簡単な説明】
【００１５】
【図１】実施例１に係る撮像装置の構成の一例を示すブロック図
【図２】実施例１に係る撮像装置の処理フローの一例を示すフローチャート
【図３】実施例１に係る変更階調範囲の一例を示す図
【図４】実施例１のビーチモードに関する代表色と目標値の一例を示す図
【図５】実施例１のビーチモードに関するガンマカーブの一例を示す図
【図６】実施例１の風景モードに関する代表色と目標値の一例を示す図
【図７】実施例１の風景モードに関するガンマカーブの一例を示す図
【図８】実施例１の夕焼けモードに関する代表色と目標値の一例を示す図
【図９】実施例１の夕焼けモードに関するガンマカーブの一例を示す図
【図１０】実施例２に係る撮像装置の構成の一例を示すブロック図
【図１１】実施例２に係る撮像装置の処理フローの一例を示すフローチャート
【図１２】目標色域と表示画像の色域の一例を示す図
【発明を実施するための形態】
【００１６】
＜実施例１＞
以下、本発明の実施例１に係る撮像装置及びその制御方法について説明する。
【００１７】
まず、本実施例に係る撮像装置の構成の一例について説明する。図１は、本実施例に係る撮像装置の構成の一例を示すブロック図である。図１に示すように、本実施例に係る撮像装置は、撮像部１０１、アナログ処理部１０２、デジタル処理部１０３、記録・再生部１０４、表示画像データ生成部１０５、表示パネル１０７、操作部１０８、動作モード設定部１０９、制御マイコン１１０、シーンモード設定部１１１、メモリ１１２、等を有する。
【００１８】
制御マイコン１１０は、撮像装置全体の制御及び演算処理を司る中央処理装置である。例えば、不図示のフラッシュメモリ内に、圧縮されたプログラムが予め記録されている。フラッシュメモリに記録されたプログラムは解凍されて不図示のプログラムメモリに展開される。そして、制御マイコン１１０は、プログラムメモリ内に展開されたプログラムに従って動作する。
【００１９】
不図示のレンズを通った光は、撮像部１０１の受光面上に結像される。撮像部１０１は、受光面上に結像された光を電気信号（アナログ信号）に変換する光電変換素子である。本実施例では、受光面上に結像された光を変換することで得られた電気信号を、「アナログ撮像データ」と記載する。撮像部１０１は、アナログ撮像データをアナログ処理部１０２に出力する。
【００２０】
アナログ処理部１０２は、撮像部１０１から出力されたアナログ撮像データに種々の信号処理を施すことにより、デジタル信号であるデジタル撮像データを生成する。アナログ処理部１０２で行われる種々の信号処理は、アナログ信号をデジタル信号に変換するＡＤ変換処理を含む。アナログ処理部１０２は、デジタル撮像データをデジタル処理部１０３に出力する。
【００２１】
デジタル処理部１０３は、アナログ処理部１０２から出力されたデジタル撮像データに種々の信号処理を施すことにより、撮像画像データを生成する。本実施例では、アナログ撮像データの取得から撮像画像データの生成までの処理群を、「撮像」と記載する。デジタル処理部１０３で行われる種々の信号処理は、例えば、デジタル撮像データを圧縮符号化する圧縮処理を含む。
【００２２】
なお、圧縮処理の方法は特に限定されない。例えば、圧縮処理として、以下の第１圧縮処理と第２圧縮処理のいずれかが行われる。第１圧縮処理は、各フレームについてフレームのデジタル撮像データを圧縮符号化する圧縮処理である。第１圧縮処理により、モーションＪＰＥＧのようなフォーマットの撮像画像データを生成することができる。第２圧縮処理は、一部のフレームについて、そのフレームのデジタル撮像データを圧縮符号化し、残りのフレームについて、前後のフレームのデータ（デジタル撮像データまたは撮像画像データ）に基づいて撮像画像データを生成する、圧縮処理である。前後のフレームのデータに基づいて撮像画像データを生成する処理は、前後のフレームの間のデータの差分に基づいて撮像画像データを生成する処理、前後のフレームのデータから撮像画像データを予
測して生成する処理、等である。第２圧縮処理により、ＭＰＥＧのようなフォーマットの撮像画像データを生成することができる。
【００２３】
記録・再生部１０４は、撮像画像データを不図示の記録媒体（記憶部）に記録することができる（記録処理）。また、記録・再生部１０４は、撮像画像データを記録媒体から読み出すこともできる。換言すれば、記録・再生部１０４は、記録媒体が記憶している撮像画像データを再生することができる（再生処理）。記録処理や再生処理は、例えば、ユーザ操作に応じて実行されたり、自動で実行されたりする。記録媒体としては、磁気ディスク、光ディスク、半導体メモリ、等を用いることができる。記録媒体は、撮像装置に内蔵されていてもよいし、撮像装置に対して着脱可能であってもよい。記録処理と再生処理とは、互いに異なる機能部によって行われてもよい。
【００２４】
再生処理が行われる場合（再生時）には、デジタル処理部１０３は、再生対象の撮像画像データを記録・再生部１０４から取得し、再生対象の撮像画像データを表示画像データ生成部１０５に出力する。その後、表示画像データ生成部１０５と表示パネル１０７の処理が行われることにより、ユーザは、記録媒体に記録された撮像画像データに基づく画像を確認できる。それ以外の場合には、デジタル処理部１０３は、生成した現在の撮像画像データを表示画像データ生成部１０５に出力する。その後、表示画像データ生成部１０５と表示パネル１０７の処理が行われることにより、ユーザは、現在の被写体の状態を表す画像を確認できる。即ち、ユーザは、撮像装置の画面を電子ビューファインダ（ＥＶＦ）として使用することができる。また、記録処理が行われる場合には、デジタル処理部１０３は、生成した現在の撮像画像データを記録・再生部１０４にも出力する。そして、記録・再生部１０４は、デジタル処理部１０３から出力された撮像画像データを、記録媒体に記録する。
【００２５】
メモリ１１２には、複数の画質パラメータが予め記録されている。画質パラメータの数や値は変更可能である。メモリ１１２としては、例えば、ＥＥＰＲＯＭ等の不揮発性メモリを使用することができる。
【００２６】
表示画像データ生成部１０５は、デジタル処理部１０３から出力された撮像画像データに種々の信号処理を施すことにより、表示画像データを生成する。表示画像データ生成部１０５で行われる種々の信号処理は、ガンマ変換処理を含む。具体的には、表示画像データ生成部１０５は、ガンマ変換部１０６を有する。ガンマ変換部１０６は、複数の画質パラメータのうちのいずれかをメモリ１１２から読み出し、読み出した画質パラメータに応じたガンマカーブを用いて、撮像画像データにガンマ変換処理を施す。それにより、処理画像データが生成される。処理画像データが表示画像データとして使用されてもよいし、処理画像データに他の信号処理を施すことによって、表示画像データが生成されてもよい。使用する画質パラメータを切り替えることにより、表示画像（撮像装置の画面に表示された画像）の画質を変更することができる。表示画像データ生成部１０５は、生成した表示画像データを表示パネル１０７に出力する。制御マイコン１１０は、画像の表示／非表示を制御することができる。表示画像データ生成部１０５は、撮像装置が画像の表示を行う場合に表示画像データを表示パネル１０７に出力し、撮像装置が画像の表示を行わない場合には表示画像データを表示パネル１０７に出力しない。
【００２７】
なお、画質パラメータは、ガンマカーブを特定することができれば、どのようなパラメータであってもよい。例えば、複数のガンマカーブ（関数やテーブル）が予め用意されており、画質パラメータとして、ガンマカーブの識別子が使用されてもよい。ガンマカーブを表す関数のパラメータが、画質パラメータとして使用されてもよい。
【００２８】
表示パネル１０７は、表示画像データに応じた画像（処理画像データに基づく画像）を
画面に表示する。表示パネル１０７としては、有機ＥＬパネル、液晶パネル、プラズマディスプレイパネル、等を使用することができる。なお、表示パネル１０７が撮像装置の外部装置であり、撮像装置が有する機能部（例えば、制御マイコン１１０）によって、表示パネル１０７の画面に画像を表示する制御が行われてもよい。
【００２９】
操作部１０８は、撮像装置に対するユーザ操作を受け付け、ユーザ操作に応じた操作信号を制御マイコン１１０に出力する。制御マイコン１１０は、操作信号に応じた制御を行う。本実施例では、操作部１０８は複数の操作部材（物理ボタン）を有する。各操作部材に割り当てられる機能は、表示パネル１０７に表示される種々の機能アイコンを選択するユーザ操作などに応じて適宜切り替えられる。例えば、メニューボタンが押されると、種々の設定のためのメニュー画像が画面に表示される。ユーザは、表示されたメニュー画像、上下左右の４方向ボタン、ＳＥＴボタン、等を用いて、種々の設定のための操作を直観的に行うことができる。電源ＯＦＦボタンが押されると、撮像装置の電源が切られる。
【００３０】
なお、操作部１０８は物理ボタンに限らない。例えば、操作部１０８として、画面に対するユーザの接触を検知可能なタッチパネルが使用されてもよい。タッチパネルの検知方式は特に限定されない。例えば、検知方式として、抵抗膜方式、静電容量方式、表面弾性波方式、赤外線方式、電磁誘導方式、画像認識方式、光センサ方式、等を用いることができる。
【００３１】
動作モード設定部１０９は、複数の動作モードのうちのいずれかを制御マイコン１１０に設定する。換言すれば、動作モード設定部１０９は、設定された動作モードを、複数の動作モードの間で切り替える。動作モード設定部１０９は、例えば、ユーザ操作に応じて動作モードを設定する。複数の動作モードは、例えば、記録処理の実行を可能とする記録モードと、再生処理の実行を可能とする再生モードと、を含む。制御マイコン１１０は、設定された動作モードに応じた制御を行う。記録モードは、オート撮影モード、オートシーン判別モード、マニュアルモード、プログラムＡＥモード、カスタムモード、等を含む。
【００３２】
シーンモード設定部１１１は、複数の撮影シーンにそれぞれ対応する複数のシーンモードのうちのいずれかを制御マイコン１１０に設定する。シーンモード設定部１１１は、例えば、ユーザ操作に応じてシーンモードを設定する。制御マイコン１１０は、設定されたシーンモードに応じた制御を行う。例えば、制御マイコン１１０は、設定されたシーンモードに応じて、撮像パラメータ（シャッター速度、絞り値、ＩＳＯ感度、等）を変更する制御を行う。なお、シーンモードの設定方法は上記方法に限らない。例えば、撮像装置の使用環境に応じてシーンモードが自動で設定されてもよい。撮像装置の使用環境は、例えば、種々のセンサを用いて検出することができる。
【００３３】
複数のシーンモードは、例えば、ポートレートモード、ビーチモード、風景モード、夕焼けモード、スノーモード、等を含む。ポートレートモードは、人物を撮影する撮影シーンに対応し、ビーチモードは、海を撮影する撮影シーンに対応する、風景モードは、山、森林、草原、等を撮影する撮影シーンに対応する。夕焼けモードは、夕焼けを撮影する撮影シーンに対応し、スノーモードは、雪景色を撮影する撮影シーンに対応する。なお、シーンモードは、これら６つのシーンモードに限らない。シーンモードの数や種類は特に限定されない。
【００３４】
次に、本実施例に係る撮像装置の処理フローの一例について説明する。図２は、本実施例に係る撮像装置の処理フローの一例を示すフローチャートである。図２の処理フローは、例えば、撮像装置の電源が入れられたタイミングで開始される。
【００３５】
まず、制御マイコン１１０が、記録モードとシーンモードが設定されているか否かを判断する（Ｓ２０１）。記録モードとシーンモードの両方が設定されている場合には、Ｓ２０２に処理が進められ、それ以外の場合には、Ｓ２０３に処理が進められる。
【００３６】
Ｓ２０２では、制御マイコン１１０が、設定されているシーンモードを判断し、判断結果をガンマ変換部１０６に通知する。それにより、設定されているシーンモードに応じたガンマカーブが、ガンマ変換処理に使用するガンマカーブとして設定される。具体的には、メモリ１１２が記憶している複数の画質パラメータは、それぞれ、複数のシーンモードに対応付けられている。Ｓ２０２では、設定されているシーンモードに応じた画質パラメータが、ガンマ変換部１０６で使用する画質パラメータとして設定される。その後、Ｓ２０４に処理が進められる。
【００３７】
Ｓ２０３では、制御マイコン１１０が、デフォルト値の設定をガンマ変換部１０６に指示する。それにより、デフォルトカーブとして定められているガンマカーブが、ガンマ変換処理に使用するガンマカーブとして設定される。具体的には、デフォルト値として定められている画質パラメータが、ガンマ変換部１０６で使用する画質パラメータとして設定される。その後、Ｓ２０４に処理が進められる。
【００３８】
本実施例では、撮像画像データの画素値は、種類が互いに異なる複数の階調値を含む。ガンマ変換処理に使用するガンマカーブとして、複数の階調値にそれぞれ適用される複数のガンマカーブが設定される。そして、詳細は後述するが、シーンモードに応じた複数のガンマカーブは、当該シーンモードに応じた色味に表示画像の色味が変化するように定められている。
【００３９】
Ｓ２０２やＳ２０３の処理の後、設定されたガンマカーブを用いたガンマ変換処理を少なくとも含む種々の信号処理が撮像画像データに施され、表示画像データに応じた画像が画面に表示される。
【００４０】
Ｓ２０４では、制御マイコン１１０が、電源ＯＦＦボタンを押下するユーザ操作が行われたか否かを判断する。電源ＯＦＦボタンが押下されなかった場合には、Ｓ２０１に処理が戻される。電源ＯＦＦボタンが押下された場合には、撮像装置の電源を切る種々の処理が行われ、撮像装置の電源が切られる。
【００４１】
次に、本実施例に係るシーンモードとガンマカーブの対応関係の一例について説明する。以下では、撮像画像データの画素値が、赤色に対応するＲ値、緑色に対応するＧ値、及び、青色に対応するＢ値を含むＲＧＢ値である場合の例を説明する。この場合、ガンマ変換処理において、Ｒ値に適用するガンマカーブ（Ｒカーブ）、Ｇ値に適用するガンマカーブ（Ｇカーブ）、及び、Ｂ値に適用するガンマカーブ（Ｂカーブ）が使用される。
【００４２】
なお、以下で述べるガンマカーブはあくまで一例であり、シーンモードに応じたガンマカーブは以下のガンマカーブに限定されない。シーンモードとガンマカーブの対応関係は、ユーザ層の好み、メーカーの好み、撮像装置の用途、等に依存して変化し得る。また、画素値はＲＧＢ値に限らない。例えば、画素値は、ＹＣｂＣｒ値（Ｙ値、Ｃｂ値、及び、Ｃｒ値の組み合わせ）であってもよい。
【００４３】
各シーンモードには、そのシーンモードを代表する色（代表色；特徴色）が存在する。代表色は、例えば、被写体に多く含まれている可能性が高い色である。ポートレートモードが設定されているときの被写体は人物である可能性が高いため、ポートレートモードの代表色は肌色である。同様に、ビーチモードの代表色は青色、風景モードの代表色は緑色、夕焼けモードの代表色は赤色、スノーモードの代表色は白色である。本実施例では、表
示画像が取り得る色のうち、代表色が所定の目標色に近づき、代表色以外の色が維持されるように定められたガンマカーブが使用される。
【００４４】
なお、表示画像の色味を変更する処理として、ガンマ変換処理の他に、各階調値にオフセット値を加算する加算処理、各階調値にゲイン値を乗算する乗算処理、等がある。しかしながら、加算処理や乗算処理では、全階調範囲に渡ってオフセット値の加算やゲイン値の乗算が行われる。そのため、代表色である表示色を目標色に一致させると、代表色以外の表示色が元の表示色から大きく変化してしまい、表示画像の画質が劣化してしまう。ガンマ変換処理では、一部の階調範囲に限定して表示色を変更することができるため、上記画質の劣化の発生を抑制することができる。
【００４５】
図３は、代表色を目標色に近づけるために色バランス（Ｒ値、Ｇ値、及び、Ｂ値のバランス）がデフォルトカーブから変更される階調範囲（変更階調範囲）の一例を示す図である。図３の横軸は、入力値である階調値（Ｒ値、Ｇ値、または、Ｂ値）を示し、図３の縦軸は出力値である表示輝度（赤色、青色、または、緑色の表示輝度）を示す。変更階調範囲は、入力値の範囲である。表示輝度は、画面上の輝度である。図３において、実線はデフォルトカーブを示し、細かい破線はビーチモードに対応するガンマカーブを示し、粗い破線はポートレートモードに対応するガンマカーブを示す。そして、点線は風景モードに対応するガンマカーブを示し、一点鎖線は夕焼けモードに対応するガンマカーブを示す。図３から、ビーチモードの変更階調範囲が高階調側の範囲であり、ポートレートモードと風景モードの変更階調範囲が中間階調から高階調の範囲であり、夕焼けモードの変更階調範囲が中間階調から低階調の範囲であることがわかる。図３に示されていないが、スノーモードの変更階調範囲は、全階調範囲である。
【００４６】
図４は、表示画像の色域、目標色域、代表色、及び、代表色の目標色の一例を示す色度図である。図４の代表色と目標色は、ビーチモードに関するものである。図４において、破線で描かれた三角形は表示画像の色域を示し、実線で描かれた三角形は目標色域を示す。そして、白四角は代表色の色度を示し、白丸は目標色度（目標色の色度）を示す。表示画像の色域を目標色域に一致させることは困難であるため、本実施例では、代表色の色度を目標色度に近づける。
【００４７】
図５は、ビーチモードに対応するＲカーブ、Ｇカーブ、及び、Ｂカーブの一例を示す。図５において、点線はＲカーブを示し、細かい破線はＧカーブを示し、粗い破線はＢカーブを示す。図５に示すように、ビーチモードが設定されている場合には、高階調側の変更階調範囲において、Ｂカーブの輝度（青色の輝度）としてデフォルトカーブよりも高い輝度が設定され、Ｇカーブの輝度としてデフォルトカーブよりも低い輝度が設定される。それにより、図４の白四角が白丸に近づけられる。また、変更階調範囲以外の範囲では、ガンマカーブがデフォルトカーブと同等の特性を有するため、代表色以外の色の変化を抑制することができる。
【００４８】
図６は、表示画像の色域、目標色域、代表色、及び、代表色の目標色の一例を示す色度図である。図６の代表色と目標色は、風景モードに関するものである。図７は、風景モードに対応するＲカーブ、Ｇカーブ、及び、Ｂカーブの一例を示す。図７に示すように、風景モードが設定されている場合には、中間階調から高階調の変更階調範囲において、Ｇカーブの輝度としてデフォルトカーブよりも高い輝度が設定され、Ｒカーブの輝度としてデフォルトカーブよりも低い輝度が設定される。それにより、図６の白四角（代表色）が白丸（目標色）に近づけられる。また、変更階調範囲以外の範囲では、ガンマカーブがデフォルトカーブと同等の特性を有するため、代表色以外の色の変化を抑制することができる。
【００４９】
図８は、表示画像の色域、目標色域、代表色、及び、代表色の目標色の一例を示す色度図である。図８の代表色と目標色は、夕焼けモードに関するものである。図９は、夕焼けモードに対応するＲカーブ、Ｇカーブ、及び、Ｂカーブの一例を示す。図９に示すように、夕焼けモードが設定されている場合には、中間階調から低階調の変更階調範囲において、Ｒカーブの輝度としてデフォルトカーブよりも高い輝度が設定され、Ｇカーブの輝度としてデフォルトカーブよりも低い輝度が設定される。それにより、図８の白四角（代表色）が白丸（目標色）に近づけられる。また、変更階調範囲以外の範囲では、ガンマカーブがデフォルトカーブと同等の特性を有するため、代表色以外の色の変化を抑制することができる。
【００５０】
以上述べたように、本実施例によれば、設定されたシーンモードに応じたガンマカーブを使用することにより、設定されたシーンモードに応じた色味に表示画像の色味が変更される。それにより、撮像画像データに基づく画像を表示する際に、好適な画質の表示画像を得ることができる。具体的には、シーンモードに応じた好適な色味の表示画像を得ることができる。
【００５１】
＜実施例２＞
以下、本発明の実施例２に係る撮像装置及びその制御方法について説明する。実施例２では、撮像画像データの再生時にも好適な画質の表示画像を得ることができる構成や処理について説明する。なお、以下では、実施例１と異なる構成や処理について詳しく説明し、実施例１と同様の構成や処理についての説明は省略する。
【００５２】
まず、本実施例に係る撮像装置の構成の一例について説明する。図１０は、本実施例に係る撮像装置の構成の一例を示すブロック図である。図１０に示すように、本実施例に係る撮像装置は、図１のデジタル処理部１０３の代わりにデジタル処理部１００１を有し、記録・再生部１０４の代わりに記録・再生部１００２を有し、制御マイコン１１０の代わりに制御マイコン１００３を有する。また、本実施例に係る撮像装置は、シーンモード判断部１００４を有する。なお、図１０において、実施例１（図１）と同じ機能部には図１と同じ符号を付し、その説明は省略する。
【００５３】
デジタル処理部１００１は、デジタル処理部１０３と同様の機能を有する。但し、記録処理が行われる場合に、デジタル処理部１００１は、記録対象の撮像画像データと、記録対象の撮像画像データの撮像時に設定されていたシーンモードを示すシーン情報と、を記録・再生部１００２に出力する。具体的には、デジタル処理部１００１は、生成した現在の撮像画像データと、設定されている現在のシーンモードを示すシーン情報と、を記録・再生部１０４に出力する。実施例１と同様に、生成された現在の撮像画像データは、表示画像データ生成部１０５にも出力される。
【００５４】
記録・再生部１００２は、記録・再生部１０４と同様の機能を有する。但し、記録・再生部１００２は、デジタル処理部１００１から出力された撮像画像データを記録媒体に記録する際に、デジタル処理部１００１から出力されたシーン情報を記録媒体に記憶する。デジタル処理部１００１から出力されたシーン情報は、デジタル処理部１００１から出力された撮像画像データに関連付けられて記録される。例えば、シーン情報は、撮像画像データのメタデータとして記録される。また、記録・再生部１００２は、撮像画像データを記録媒体から読み出す際に、当該撮像画像データに関連付けられたシーン情報を記録媒体から読み出す。
【００５５】
シーンモード判断部１００４は、撮像画像データの再生時に、再生対象の撮像画像データに関連付けられたシーン情報を、記録・再生部１００２から取得する。そして、シーンモード判断部１００４は、取得したシーン情報に基づいて、再生対象の撮像画像データの
撮像時に設定されていたシーンモードを判断する。その後、シーンモード判断部１００４は、判断したシーンモードを、制御マイコン１００３に通知する。
【００５６】
制御マイコン１００３は、制御マイコン１１０と同様の機能を有する。但し、制御マイコン１００３は、撮像画像データの再生時に、シーンモード判断部１００４から通知されたシーンモードを、ガンマ変換部１０６に通知する。それにより、再生対象の撮像画像データの撮像時に設定されていたシーンモードに応じたガンマカーブが、ガンマ変換処理に使用するガンマカーブとして設定される。
【００５７】
次に、本実施例に係る撮像装置の処理フローの一例について説明する。図１１は、本実施例に係る撮像装置の処理フローの一例を示すフローチャートである。
【００５８】
まず、制御マイコン１００３が、記録モードが設定されているか否かを判断する（Ｓ１１０１）。記録モードが設定されている場合には、Ｓ１１０２に処理が進められ、再生モードが設定されている場合には、Ｓ１１０３に処理が進められる。
【００５９】
記録モードが設定されている場合の処理フローについて説明する。Ｓ１１０２では、制御マイコン１００３が、シーンモードが設定されているか否かを判断する。シーンモードが設定されている場合には、Ｓ１１０５とＳ１１０７の処理が行われ、シーンモードが設定されていないには、Ｓ１１０６とＳ１１０７の処理が行われる。この場合、Ｓ１１０５、Ｓ１１０６、及び、Ｓ１１０７において、実施例１（図２）のＳ２０２、Ｓ２０３、及び、Ｓ２０４の処理と同様の処理が行われる。
【００６０】
再生モードが設定されている場合の処理フローについて説明する。Ｓ１１０３では、制御マイコン１００３が、再生対象の撮像画像データを選択する。再生対象の撮像画像データは、例えば、ユーザ操作に応じて選択される。
【００６１】
次に、制御マイコン１００３が、再生対象の撮像画像データに関連付けられているシーン情報が存在するか否かを判断する（Ｓ１１０４）。シーン情報が存在するか否かは、シーンモード判断部１００４からシーンモードが通知されたか否かに応じて判断することができる。具体的には、シーンモードが通知された場合にシーン情報が存在すると判断でき、シーンモードが通知されなかった場合にシーン情報が存在しないと判断できる。シーン情報が存在する場合には、Ｓ１１０５とＳ１１０７の処理が行われ、シーン情報が存在しない場合にはＳ１１０６とＳ１１０７の処理が行われる。
【００６２】
Ｓ１１０５では、制御マイコン１００３が、シーンモード判断部１００４から通知されたシーンモードを、ガンマ変換部１０６に通知する。それにより、再生対象の撮像画像データの撮像時に設定されていたシーンモードに応じたガンマカーブが、ガンマ変換処理に使用するガンマカーブとして設定される。その後、Ｓ１１０７に処理が進められる。再生モードが設定されている場合においても、Ｓ１１０５とＳ１１０７の処理は、実施例１（図２）のＳ２０３とＳ２０４の処理と同じである。
【００６３】
以上述べたように、本実施例によれば、撮像画像データの再生時に、再生対象の撮像画像データの撮像時に設定されていたシーンモードに応じたガンマカーブを用いたガンマ変換処理が行われる。それにより、撮像画像データの再生時においても、好適な画質の表示画像を得ることができる。
【００６４】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施例の一部を適宜組み合わせてもよい。
【００６５】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６６】
１０６：ガンマ変換部  １０７：表示パネル
１１０：制御マイコン  １１１：シーンモード設定部
【図１】
2016181798.tif 000003
【図２】
2016181798.tif 000004
【図３】
2016181798.tif 000005
【図４】
2016181798.tif 000006
【図５】
2016181798.tif 000007
【図６】
2016181798.tif 000008
【図７】
2016181798.tif 000009
【図８】
2016181798.tif 000010
【図９】
2016181798.tif 000011
【図１０】
2016181798.tif 000012
【図１１】
2016181798.tif 000013
【図１２】
2016181798.tif 000014